【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
デバイス管理アプリケーションを起動する指示が行われた場合に、前記デバイス管理アプリケーションに関連付けられているプリンターデバイスが存在するか否かを判定する判定手段と、
前記判定手段が前記デバイス管理アプリケーションに関連付けられている前記プリンターデバイスは存在すると判定し、かつ前記デバイス管理アプリケーションに関連付けられている前記プリンターデバイスが複数存在する場合、前記プリンターデバイスの名称をそれぞれ表示すると共に、それぞれの前記名称から特定されるプリンターデバイスを表現する画像をそれぞれ表示し、前記判定手段が前記デバイス管理アプリケーションに関連付けられている前記プリンターデバイスは存在しないと判定した場合、プリンターデバイスを表現する画像とプリンターデバイスの名称を表示しない制御を行う制御手段を有し、
前記制御手段は、前記デバイス管理アプリケーションに関連付けられている前記プリンターデバイスのうち一つのプリンターデバイスに対応する周辺装置にアクセスすることにより前記周辺装置に関する情報を提供する画面を表示するためのオブジェクトを表示することを特徴とする情報処理装置。
【請求項２】
前記デバイス管理アプリケーションは、前記情報処理装置のオペレーティングシステムにインストールされた各種アプリケーションがタイル上に並べて表示された画面で、前記デバイス管理アプリケーションのタイルに対して指示が行われることにより起動することを特徴とする請求項１に記載の情報処理装置。
【請求項３】
前記判定手段が前記デバイス管理アプリケーションに関連付けられている前記プリンターデバイスは存在すると判定した場合、前記プリンターデバイスの名称をそれぞれ表示するとともに、それぞれの前記名称から特定される前記プリンターデバイスを表現する画像及び前記プリンターデバイスのステータスを表示することを特徴とする請求項１乃至２のいずれか１項に記載の情報処理装置。
【請求項４】
前記制御手段は、前記判定手段が前記デバイス管理アプリケーションに関連付けられている前記プリンターデバイスは存在しないと判定した場合、サイトにアクセスするためのオブジェクトを表示することを特徴とする請求項１乃至３のいずれか１項に記載の情報処理装置。
【請求項５】
前記デバイス管理アプリケーションを起動する指示が行われた場合に、前記デバイス管理アプリケーションが起動の準備中であることを示す準備画面を表示することを特徴とする請求項１乃至４のいずれか１項に記載の情報処理装置。
【請求項６】
前記判定手段が前記デバイス管理アプリケーションに関連付けられている前記プリンターデバイスは存在すると判定した場合、前記デバイス管理アプリケーションに関連付けられているプリンタキューのフレンドリー名を表示することを特徴とする請求項１乃至５のいずれか１項に記載の情報処理装置。
【請求項７】
前記判定手段が前記デバイス管理アプリケーションに関連付けられている前記プリンターデバイスは存在すると判定し、かつ前記プリンターデバイスが選択された場合、選択された前記プリンターデバイスによって提供される情報に基づく画面を表示するためのオブジェクトを表示することを特徴とする請求項１乃至６のいずれか１項に記載の情報処理装置。
【請求項８】
前記デバイス管理アプリケーションからウェブサイトを表示する場合、前記デバイス管理アプリケーションにより提供される画面内で表示するか否かを設定する設定手段と、を有し、
前記制御手段は、前記設定手段により前記デバイス管理アプリケーションにより提供される画面内で表示する設定が行われて、かつ前記周辺装置に関する情報を提供する前記画面を表示するための前記オブジェクトに対する操作が行われた場合に、前記プリンターデバイスに対応する周辺装置にアクセスすることにより、前記周辺装置に関する情報を前記デバイス管理アプリケーションにより提供される画面内で表示し、
前記設定手段により前記デバイス管理アプリケーションにより提供される画面内で表示しない設定が行われて、かつ前記周辺装置に関する情報を提供する前記画面を表示するための前記オブジェクトに対する操作が行われた場合に、前記プリンターデバイスに対応する周辺装置にアクセスすることにより、前記周辺装置に関する情報を提供する前記画面がウェブサイトを表示できる他のアプリケーションにより提供されることを特徴とする請求項１乃至７のいずれか１項に記載の情報処理装置。
【請求項９】
コンピュータに、
デバイス管理アプリケーションを起動する指示が行われた場合に、前記デバイス管理アプリケーションに関連付けられているプリンターデバイスが存在するか否かを判定する判定工程と、
前記判定工程で前記デバイス管理アプリケーションに関連付けられている前記プリンターデバイスは存在すると判定し、かつ前記デバイス管理アプリケーションに関連付けられている前記プリンターデバイスが複数存在する場合、前記プリンターデバイスの名称をそれぞれ表示すると共に、それぞれの前記名称から特定されるプリンターデバイスを表現する画像をそれぞれ表示し、前記判定工程で前記デバイス管理アプリケーションに関連付けられている前記プリンターデバイスは存在しないと判定した場合、プリンターデバイスを表現する画像とプリンターデバイスの名称を表示しない制御を行う制御工程を実行させ、
前記制御工程は、前記デバイス管理アプリケーションに関連付けられている前記プリンターデバイスのうち一つのプリンターデバイスに対応する周辺装置にアクセスすることにより前記周辺装置に関する情報を提供する画面を表示するためのオブジェクトを表示することを特徴とするプログラム。
【請求項１０】
前記デバイス管理アプリケーションは、前記コンピュータのオペレーティングシステムにインストールされた各種アプリケーションがタイル上に並べて表示された画面で、前記デバイス管理アプリケーションのタイルに対して指示が行われることにより起動することを特徴とする請求項９に記載のプログラム。
【請求項１１】
前記判定工程で前記デバイス管理アプリケーションに関連付けられている前記プリンターデバイスは存在すると判定した場合、前記プリンターデバイスの名称をそれぞれ表示するとともに、それぞれの前記名称から特定される前記プリンターデバイスを表現する画像及び前記プリンターデバイスのステータスを表示することを特徴とする請求項９乃至１０のいずれか１項に記載のプログラム。
【請求項１２】
前記制御工程は、前記判定工程で前記デバイス管理アプリケーションに関連付けられている前記プリンターデバイスは存在しないと判定した場合、サイトにアクセスするためのオブジェクトを表示することを特徴とする請求項９乃至１１のいずれか１項に記載のプログラム。
【請求項１３】
前記デバイス管理アプリケーションを起動する指示が行われた場合に、前記デバイス管理アプリケーションが起動の準備中であることを示す準備画面を表示することを特徴とする請求項９乃至１２のいずれか１項に記載のプログラム。
【請求項１４】
前記判定工程で前記デバイス管理アプリケーションに関連付けられている前記プリンターデバイスは存在すると判定した場合、前記デバイス管理アプリケーションに関連付けられているプリンタキューのフレンドリー名を表示することを特徴とする請求項９乃至１３のいずれか１項に記載のプログラム。
【請求項１５】
前記判定工程で前記デバイス管理アプリケーションに関連付けられている前記プリンターデバイスは存在すると判定し、かつ前記プリンターデバイスが選択された場合、選択された前記プリンターデバイスによって提供される情報に基づく画面を表示するためのオブジェクトを表示することを特徴とする請求項９乃至１４のいずれか１項に記載のプログラム。
【請求項１６】
前記コンピュータに、
前記デバイス管理アプリケーションからウェブサイトを表示する場合、前記デバイス管理アプリケーションにより提供される画面内で表示するか否かを設定する設定工程と、を実行させ、
前記制御工程は、前記設定工程により前記デバイス管理アプリケーションにより提供される画面内で表示する設定が行われて、かつ前記周辺装置に関する情報を提供する前記画面を表示するための前記オブジェクトに対する操作が行われた場合に、前記プリンターデバイスに対応する周辺装置にアクセスすることにより、前記周辺装置に関する情報を前記デバイス管理アプリケーションにより提供される画面内で表示し、
前記設定工程により前記デバイス管理アプリケーションにより提供される画面内で表示しない設定が行われて、かつ前記周辺装置に関する情報を提供する前記画面を表示するための前記オブジェクトに対する操作が行われた場合に、前記プリンターデバイスに対応する周辺装置にアクセスすることにより、前記周辺装置に関する情報を提供する前記画面がウェブサイトを表示できる他のアプリケーションにより提供されることを特徴とする請求項９乃至１５のいずれか１項に記載のプログラム。
【請求項１７】
デバイス管理アプリケーションを起動する指示が行われた場合に、前記デバイス管理アプリケーションに関連付けられているプリンターデバイスが存在するか否かを判定する判定工程と、
前記判定工程で前記デバイス管理アプリケーションに関連付けられている前記プリンターデバイスは存在すると判定し、かつ前記デバイス管理アプリケーションに関連付けられている前記プリンターデバイスが複数存在する場合、前記プリンターデバイスの名称をそれぞれ表示すると共に、それぞれの前記名称から特定されるプリンターデバイスを表現する画像をそれぞれ表示し、前記判定工程で前記デバイス管理アプリケーションに関連付けられている前記プリンターデバイスは存在しないと判定した場合、プリンターデバイスを表現する画像とプリンターデバイスの名称を表示しない制御を行う制御工程を有し、
前記制御工程は、前記デバイス管理アプリケーションに関連付けられている前記プリンターデバイスのうち一つのプリンターデバイスに対応する周辺装置にアクセスすることにより前記周辺装置に関する情報を提供する画面を表示するためのオブジェクトを表示することを特徴とする制御方法。
【手続補正２】
【補正対象書類名】明細書
【補正対象項目名】０００６
【補正方法】変更
【補正の内容】
【０００６】
上記課題を解決するために本発明の情報処理装置は、
デバイス管理アプリケーションを起動する指示が行われた場合に、前記デバイス管理アプリケーションに関連付けられているプリンターデバイスが存在するか否かを判定する判定手段と、
前記判定手段が前記デバイス管理アプリケーションに関連付けられている前記プリンターデバイスは存在すると判定し、かつ前記デバイス管理アプリケーションに関連付けられている前記プリンターデバイスが複数存在する場合、前記プリンターデバイスの名称をそれぞれ表示すると共に、それぞれの前記名称から特定されるプリンターデバイスを表現する画像をそれぞれ表示し、前記判定手段が前記デバイス管理アプリケーションに関連付けられている前記プリンターデバイスは存在しないと判定した場合、プリンターデバイスを表現する画像とプリンターデバイスの名称を表示しない制御を行う制御手段を有し、
前記制御手段は、前記デバイス管理アプリケーションに関連付けられている前記プリンターデバイスのうち一つのプリンターデバイスに対応する周辺装置にアクセスすることにより前記周辺装置に関する情報を提供する画面を表示するためのオブジェクトを表示することを特徴とする。